【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
２次元に配置された画素のうち少なくとも一部の画素が瞳分割された焦点検出用画素として構成された撮像素子と、
メモリに記憶された前記焦点検出用画素の位置情報を前記メモリから読み出す記憶制御手段と、
前記焦点検出用画素の位置情報に基づいて前記撮像素子における前記焦点検出用画素の位置を特定し、欠陥がある焦点検出用画素の画素信号を、欠陥が無い焦点検出用画素の画素信号で補正する補正手段と、
を備えることを特徴とする撮像装置。
【請求項２】
前記補正手段は、前記欠陥がある焦点検出用画素の画素信号を、当該画素信号と相関性が高い方向に位置する前記欠陥が無い焦点検出用画素の画素信号で補正することを特徴とする請求項１に記載の撮像装置。
【請求項３】
前記記憶制御手段は、前記画素の欠陥の有無を示す欠陥情報をメモリに記憶させ、
前記補正手段は、前記欠陥情報に基づいて、欠陥がある焦点検出用画素の画素信号を欠陥がない焦点検出用画素の画素信号で補正することを特徴とする請求項１に記載の撮像装置。
【請求項４】
前記焦点検出用画素は、瞳分割により、撮影光学系の異なる瞳領域を通過した光束をそれぞれ受光する第１の焦点検出用画素と第２の焦点検出用画素とからなる複数の対から成り、前記記憶制御手段は、前記第１の焦点検出用画素と前記第２の焦点検出用画素とを区別するための画素情報を前記メモリに更に記憶させ、
前記補正手段は、前記画素情報に基づいて、欠陥がある前記第１の焦点検出用画素の画素信号を欠陥がない前記第１の焦点検出用画素の画素信号で補正し、欠陥がある前記第２の焦点検出用画素の画素信号を欠陥がない前記第２の焦点検出用画素の画素信号で補正することを特徴とする請求項３に記載の撮像装置。
【請求項５】
前記補正手段は、前記第１の焦点検出用画素及び前記第２の焦点検出用画素のいずれか一方に欠陥がある場合、前記一方の欠陥がある画素の画素信号を補正することに加え、他方の欠陥がない画素の画素信号も補正することを特徴とする請求項４に記載の撮像装置。
【請求項６】
前記記憶制御手段は、前記瞳分割の方向を示す瞳分割情報を前記メモリに更に記憶させ、
前記補正手段は、前記瞳分割情報に基づいて、前記瞳分割の方向と垂直な方向に位置する欠陥がない焦点検出用画素の画素信号を用いて前記補正を行うことを特徴とする請求項１に記載の撮像装置。
【請求項７】
前記補正手段は、前記撮像装置の合焦状態に応じて、前記２次元に配置された画素のうち前記特定した焦点検出用画素以外の画素の画素信号に基づいて、前記欠陥がある焦点検出用画素の画素信号を補正することを特徴とする請求項１に記載の撮像装置。
【請求項８】
２次元に配置された画素のうち少なくとも一部の画素が瞳分割された焦点検出用画素として構成された撮像素子を備える撮像装置の制御方法であって、
記憶制御手段が、メモリに予め記憶された前記焦点検出用画素の位置情報を、前記メモリから読み出す工程と、
補正手段が、前記焦点検出用画素の位置情報に基づいて前記撮像素子における前記焦点検出用画素の位置を特定し、欠陥がある焦点検出用画素の画素信号を欠陥が無い焦点検出用画素の画素信号で補正する補正工程と、
を含むことを特徴とする撮像装置の制御方法。
【請求項９】
２次元に配置された画素のうち少なくとも一部の画素が瞳分割された焦点検出用画素として構成された撮像素子と、
前記撮像素子から出力される画素信号から傷補正が必要な画素信号を識別し傷補正を行う傷補正手段と、
前記撮像素子から出力される画素信号から前記焦点検出用画素の画素信号を抽出する抽出手段と、を有する撮像装置であって、
前記傷補正手段は、前記傷補正が必要な画素信号を識別するのにメモリに記憶された補正情報を用い、
前記抽出手段は、前記焦点検出用画素の画素信号を抽出するのに前記補正情報を用い、
前記補正情報は、前記焦点検出用画素の前記撮像素子上の位置を識別する情報及び前記傷補正が必要な画素の前記撮像素子上の位置を識別する情報を有することを特徴とする撮像装置。
【請求項１０】
前記補正情報は、前記撮像素子上の位置情報と関連付けられて、前記焦点検出用画素であるか否かを識別する情報、及び、傷のある画素であるか否かを識別する情報を有することを特徴とする請求項９に記載の撮像装置。
【請求項１１】
前記抽出手段は、前記焦点検出用画素として抽出した画素信号の中からさらに前記補正情報に基づいて傷のある画素を識別し、傷のない前記焦点検出用画素の画素信号を用いて当該傷のある焦点検出用画素の画素信号に傷補正を行うことを特徴とする請求項１０に記載の撮像装置。
【請求項１２】
前記傷補正手段は、前記補正情報に基づいて、前記焦点検出用画素の画素信号及び傷のある画素の画素信号を前記傷補正が必要な画素信号として傷補正を行うことを特徴とする請求項９乃至１１のいずれか１項に記載の撮像装置。
【請求項１３】
前記補正情報は、前記焦点検出用画素の前記瞳分割された領域を識別する情報を有し、
前記傷補正手段は、前記抽出手段が抽出した前記焦点検出用画素のうち、前記傷補正が必要な画素信号を、前記補正情報に基づいて同じ瞳分割された領域を有する画素の画素信号を用いて補正することを特徴とする請求項９乃至１１のいずれか１項に記載の撮像装置。
【請求項１４】
前記補正情報は、前記焦点検出用画素の前記瞳分割の方向を識別する情報を有し、
前記傷補正手段は、前記抽出手段が抽出した前記焦点検出用画素のうち、前記傷補正が必要な画素信号を、前記補正情報に基づいて当該傷補正が必要な画素と同じ方向に瞳分割された焦点検出用画素の画素信号を用いて補正することを特徴とする請求項９乃至１１のいずれか１項に記載の撮像装置。
【請求項１５】
２次元に配置された画素のうち少なくとも一部の画素が瞳分割された焦点検出用画素として構成された撮像素子と、前記撮像素子から出力される画素信号の傷補正を行う傷補正手段と、前記撮像素子から出力される画素信号から前記焦点検出用画素の画素信号を抽出する抽出手段と、を有する撮像装置の制御方法であって、
メモリに記憶された補正情報に基づいて、前記傷補正手段が前記傷補正が必要な画素信号を識別する識別ステップと、
前記抽出手段が、前記補正情報を用いて前記焦点検出用画素の画素信号を抽出する抽出ステップと、を有し、
前記補正情報は、前記焦点検出用画素の前記撮像素子上の位置を識別する情報及び前記傷補正が必要な画素の前記撮像素子上の位置を識別する情報を有することを特徴とする撮像装置の制御方法。
【手続補正２】
【補正対象書類名】明細書
【補正対象項目名】０００８
【補正方法】変更
【補正の内容】
【０００８】
本発明は上記問題点を鑑みてなされたものであり、瞳分割された画素を含む焦点検出用画素に欠陥がある場合に、適切に焦点検出を行うことを目的とする。また、傷補正の為に用いられるデータを用いて焦点検出用画素の抽出もできるようにすることを別の目的とする。
【手続補正３】
【補正対象書類名】明細書
【補正対象項目名】００１０
【補正方法】変更
【補正の内容】
【００１０】
また、２次元に配置された画素のうち少なくとも一部の画素が瞳分割された焦点検出用画素として構成された撮像素子を備える撮像装置の本発明の制御方法は、記憶制御手段が、メモリに予め記憶された前記焦点検出用画素の位置情報を、前記メモリから読み出す工程と、補正手段が、前記焦点検出用画素の位置情報に基づいて前記撮像素子における前記焦点検出用画素の位置を特定し、欠陥がある焦点検出用画素の画素信号を欠陥が無い焦点検出用画素の画素信号で補正する補正工程と、を含む。
【手続補正４】
【補正対象書類名】明細書
【補正対象項目名】００１１
【補正方法】変更
【補正の内容】
【００１１】
本発明によれば、瞳分割された画素を含む焦点検出用画素に欠陥がある場合にも、適切に焦点検出を行うことができる。また、傷補正の為に用いられるデータを用いて焦点検出用画素の抽出もできるので、保存するデータ容量が少なくなり、メモリを節約することができる。